(57)【要約】【課題】携帯情報端末を保護するとともに他の物品を収納可能な携帯情報端末ケースを提供する。【解決手段】携帯情報端末の後面及び側面を覆うように携帯情報端末に取付けられる携帯情報端末ケース１であって、本体部１０と、本体部１０の前側に取付けられる支持板２０と、を備え、本体部１０の底面１１と支持板２０との間には空隙Ｓが形成されるとともに、側方から空隙Ｓに対し開状態から閉状態まで挿抜自在に設けられた収納部３０と、をさらに備え、収納部３０は前方が開口した略箱型である。【選択図】図１
2019193114.tif 000002
【特許請求の範囲】
【請求項１】
携帯情報端末の後面及び側面を覆うように携帯情報端末に取付けられる携帯情報端末ケースであって、
本体部と、
前記本体部の前側に取付けられる支持板と、を備え、
前記本体部の底面と前記支持板との間には空隙が形成されるとともに、
側方から前記空隙に対し開状態から閉状態まで挿抜自在に設けられた収納部と、をさらに備えることを特徴とする携帯情報端末ケース。
【請求項２】
前記収納部は前方が開口した略箱型であることを特徴とする請求項１に記載の携帯情報端末ケース。
【請求項３】
前記閉状態で前記収納部を保持するロック機構を備えることを特徴とする請求項１又は２に記載の携帯情報端末ケース。
【請求項４】
携帯情報端末の後面及び側面を覆うように携帯情報端末に取付けられる携帯情報端末ケースであって、
本体部を備え、
前記本体部に携帯情報端末が取付けられた際には、前記本体部の底面と前記携帯情報端末との間には空隙が形成されるとともに、
側方から前記空隙に対し開状態から閉状態まで挿抜自在に設けられた収納部と、をさらに備えることを特徴とする携帯情報端末ケース。
【発明の詳細な説明】
【技術分野】
【０００１】
本発明は、携帯情報端末の後面及び側面を覆うように携帯情報端末に取付けられる携帯情報端末ケースに関するものである。
【背景技術】
【０００２】
スマートフォン等の携帯情報端末を保護する目的で様々な携帯情報端末ケースが発売されている。
例えば、手帳型と呼ばれる携帯情報端末ケースが開示されている（例えば、特許文献１参照）。
このような携帯情報端末ケースでは携帯情報端末を保護するだけでなく、カバー片に薄いＩＣカードを収納することが可能なものもある。
【先行技術文献】
【特許文献】
【０００３】
【特許文献１】登録実用新案第３２１３９５４号公報
【発明の概要】
【発明が解決しようとする課題】
【０００４】
しかしながら、従来の携帯情報端末ケースでは収納できる物の量や種類が限られているので、ユーザーが持ち歩きたい物が他にもある場合にはバッグ等が必要となってくる。
【０００５】
本出願人はユーザーが携帯情報端末を肌身離さず持っている点に着目して創意工夫を重ねることにより本発明を完成するに至った。
【０００６】
本発明の目的とするところは、携帯情報端末を保護するとともに他の物品を収納可能な携帯情報端末ケースを提供することにある。
【課題を解決するための手段】
【０００７】
上記の目的を達成するために、本発明の請求項１に記載の携帯情報端末ケース（１）は、携帯情報端末の後面及び側面を覆うように携帯情報端末に取付けられる携帯情報端末ケース（１）であって、本体部（１０）と、前記本体部（１０）の前側に取付けられる支持板（２０）と、を備え、前記本体部（１０）の底面（１１）と前記支持板（２０）との間には空隙（Ｓ）が形成されるとともに、側方から前記空隙（Ｓ）に対し開状態から閉状態まで挿抜自在に設けられた収納部（３０）と、をさらに備えることを特徴とする。
【０００８】
また、請求項２に記載の携帯情報端末ケース（１）は、前記収納部（３０）は前方が開口した略箱型であることを特徴とする。
【０００９】
また、請求項３に記載の携帯情報端末ケース（１）は、前記閉状態で前記収納部（３０）を保持するロック機構を備えることを特徴とする。
【００１０】
また、請求項４に記載の携帯情報端末ケース（１）は、携帯情報端末の後面及び側面を覆うように携帯情報端末に取付けられる携帯情報端末ケース（１）であって、本体部（１０）を備え、前記本体部（１０）に携帯情報端末が取付けられた際には、前記本体部（１０）の底面（１１）と前記携帯情報端末との間には空隙（Ｓ）が形成されるとともに、側方から前記空隙（Ｓ）に対し開状態から閉状態まで挿抜自在に設けられた収納部（３０）と、をさらに備えることを特徴とする。
【００１１】
ここで、上記括弧内の記号は、図面および後述する発明を実施するための形態に掲載された対応要素または対応事項を示す。
【発明の効果】
【００１２】
本発明の請求項１に記載の携帯情報端末ケースによれば、携帯情報端末の後面及び側面を覆うように携帯情報端末に取付けられるので、携帯情報端末を保護することができる。
また、本体部の底面と支持板との間には空隙が形成されるとともに、側方から空隙に対し開状態から閉状態まで挿抜自在に設けられた収納部と、をさらに備えるので、収納部に化粧品、常備薬、コンタクトレンズ等、様々なもの（以下、小型携帯品）を収納することができる。
財布とともに携帯情報端末を肌身離さず持ち歩く人は非常に多いので、携帯情報端末ケースに収納部を設けることにより、小型携帯品をバッグ等に入れて携帯する必要がなく、忘れることもない。
【００１３】
また、請求項２に記載の携帯情報端末ケースによれば、請求項１に記載の発明の作用効果に加え、収納部は前方が開口した略箱型であるので、携帯情報端末を使用する向きに収納部が開口するので簡便である。
また、カード類よりも厚みを有する小型携帯品であっても収納することができる。
特に、収納部に化粧品や小型の化粧筆を収納する場合には、その化粧品を使用しつつ携帯情報端末のインカメラを用いてユーザーが自分の顔を見ることができる。
【００１４】
また、請求項３に記載の携帯情報端末ケースによれば、請求項１又は２に記載の発明の作用効果に加え、閉状態で収納部を保持するロック機構を備えるので、収納部に収納した小型携帯品を落下させなくて済む。
【００１５】
また、請求項４に記載の携帯情報端末ケースによれば、本体部に携帯情報端末が取付けられた際には、本体部の底面と携帯情報端末との間には空隙が形成されるとともに、側方から空隙に対し開状態から閉状態まで挿抜自在に設けられた収納部を備えるので、収納部に小型携帯品を収納することができる。
【００１６】
なお、本発明の携帯情報端末ケースのように、側方から空隙に対し開状態から閉状態まで挿抜自在に設けられた収納部を備える点は、上述した特許文献１には全く記載されていない。
【図面の簡単な説明】
【００１７】
【図１】本発明の実施形態に係る携帯情報端末ケースを示す斜視図である。
【図２】本発明の実施形態に係る携帯情報端末ケースを示す分解斜視図である。
【図３】図１における携帯情報端末ケースを示す三面図である。
【発明を実施するための形態】
【００１８】
図１乃至図３を参照して、本発明の実施形態に係る携帯情報端末ケース１を説明する。
この携帯情報端末ケース１は、携帯情報端末の後面及び側面を覆うように携帯情報端末に取付けられるものであって、本体部１０と、支持板２０と、収納部３０と、を備える。
ここで携帯情報端末とはスマートフォンを想定している。
【００１９】
また、携帯情報端末の画面側を前面、その裏を後面とここでは呼ぶ。この前後方向は携帯情報端末に取付けられた携帯情報端末ケース１についても同様の向きである。
さらに携帯情報端末を使用するために携帯情報端末を立てた状態を基準として上下方向を規定している。
【００２０】
本体部１０は、携帯情報端末ケース１のベース部分となる部材であり、主に底面１１と底面１１の略全周から立設する壁部１２からなる。壁部１２は携帯情報端末の側面にあるボタン等を避けるように設けられる。
本体部１０の壁部１２が、携帯情報端末が取付けられる際に携帯情報端末の側面を覆う部分である。壁部１２の前端は携帯情報端末を保持するために若干アンダーカットになっている。
壁部１２の高さを携帯情報端末の厚さよりも高くしたことで、本体部１０の底面１１と支持板２０との間には空隙Ｓが形成される。
下方の壁部１２略中央に開口部１３が形成されている。この開口部１３に対して収納部３０が挿通される。
【００２１】
また、本体部１０の底面１１の上部は後方に凸になっており、携帯情報端末が取付けられた携帯情報端末ケース１を机等に載置したときに、携帯情報端末の画面がユーザー側に角度を持って（画面が水平ではなく）配置されるようになっている。
【００２２】
支持板２０は、本体部１０の前側に取付けられる板状部材であり、携帯情報端末が取付けられたときには携帯情報端末が支持板２０に密着する。
支持板２０を本体部１０に取付けたとき、前記空隙Ｓが形成される。
支持板２０の後面には、略中央から下部にかけて上下方向に伸びるように収納部３０のスライドをガイドするガイド部材２１が取付けられている。
【００２３】
ガイド部材２１の下端は係止部２１ａになっており、収納部３０が開状態で係止するように、つまり収納部３０が脱落しないようにしている。
ガイド部材２１は単に収納部３０のスライドをガイドするだけではなく、収納部３０の前後方向の移動を規制しており（遊びを除く）、支持板２０に収納部３０が取付けられている。
また、支持板２０の後面の略中央にはバネ式ラッチのメス部２２を備える。
支持板２０及び本体部１０には、スマートフォンのカメラ部が機能するように孔Ｈが形成されている。
【００２４】
収納部３０は、前方が開口した略箱型である。
本体部１０の側方（ここでは下方）から空隙Ｓに対し開状態から閉状態まで挿抜自在に収納部３０が設けられている。
収納部３０の上端にはバネ式ラッチのオス部３２が取付けられている。
このバネ式ラッチのオス部３２がバネ式ラッチのメス部２２に嵌合することで、閉状態で収納部３０が保持される。このように、バネ式ラッチが収納部３０に対するロック機構として機能する。
このロック状態は、収納部３０の下端を上方に一旦押し込むことで解除される。
【００２５】
以上のように構成された携帯情報端末ケース１によれば、携帯情報端末の後面及び側面を覆うように携帯情報端末に取付けられるので、携帯情報端末を保護することができる。
また、本体部１０の底面１１と支持板２０との間には空隙Ｓが形成されるとともに、側方から空隙Ｓに対し開状態から閉状態まで挿抜自在に設けられた収納部３０と、をさらに備えるので、収納部３０に化粧品、常備薬、コンタクトレンズ等、様々な小型携帯品を収納することができる。
財布とともに携帯情報端末を肌身離さず持ち歩く人は非常に多いので、携帯情報端末ケース１に収納部３０を設けることにより、小型携帯品をバッグ等に入れて携帯する必要がなく、忘れることもない。
【００２６】
また、収納部３０は前方が開口した略箱型であるので、携帯情報端末を使用する向きに収納部３０が開口するので簡便である。
また、カード類よりも厚みを有する小型携帯品であっても収納することができる。
特に、収納部３０に化粧品や小型の化粧筆を収納する場合には、その化粧品を使用しつつ携帯情報端末のインカメラを用いてユーザーが自分の顔を見ることができる。
【００２７】
なお、本実施形態において、携帯情報端末としてスマートフォンとしたが、これに限られるものではなく、タブレット端末、電子ブックリーダー、ポータブルメディアプレーヤー等であってもよい。
【００２８】
また、支持板２０を備えるとしたが、これに限られるものではなく、支持板２０を備えなくてもよい。この場合、携帯情報端末ケース１に取付けられた携帯情報端末が収納部３０の蓋の役割を果たす。収納部３０に収納する小型携帯品の種類によってはこれでも問題ない。
【００２９】
また、収納部３０の中を適宜区切っておいてもよい。
さらに、ガイド部材２１を支持板２０に設けたが、これに限られるものではなく本体部１０に設けられていてもよい。
また、ガイド部材２１が無くても収納部３０をスムーズに挿抜可能であれば、ガイド部材２１は不要である。
【００３０】
また、バネ式ラッチを設けたが、これをダンパーにすることで収納部３０を閉状態からゆっくりと開状態にすることができる。
さらにはバネ式ラッチやダンパーに限らず、収納部３０を閉状態で固定する方法やそれを解除する方法、加えて収納部３０が本体部１０（支持板２０）から脱落しないようにする方法は、既知の手段を適宜適用することができる。
【００３１】
また、収納部３０が挿通する開口部１３を本体部１０の下部に設けたが、これに限られるものではなく、下方以外の他の側面であってもよい。このとき、当然にガイド部材２１の位置や向きも適宜変更される。
【００３２】
また、収納部３０は前方が開口したようにしたが、これとは逆に後方が開口していてもよい。但し、前方が開口したもののほうが使い勝手がよい。
【００３３】
加えて、携帯情報端末ケース１のデザインは図面に記載のものに限られるものではない。
【符号の説明】
【００３４】
１      携帯情報端末ケース
１０      本体部
１１      底面
１２      壁部
１３      開口部
２０      支持板
２１      ガイド部材
２１ａ    係止部
２２      バネ式ラッチのメス部
３０      収納部
３２      バネ式ラッチのオス部
Ｈ      孔
Ｓ      空隙
【図１】
2019193114.tif 000003
【図２】
2019193114.tif 000004
【図３】
2019193114.tif 000005